(57)【要約】【課題】製造が容易でコストを低減することができるとともに、シート材と熱融着する際にシールバーで挟み込んで押し潰しても内面が融着されてしまうことがなく、また、内容物を残らず取り出すことが可能なスパウト付容器とその製造方法を提供する。【解決手段】スパウト１の内側開口端１３が、シート材４，４同士の融着部６の内側端部１１と一致するか或いはこれよりも外側に位置し、且つ、スパウト１とシート材４，４との融着部６の内側端部１２がスパウト１の内側開口端１３よりも外側に位置し、スパウト１のシート材４，４との融着部６の内側端部１２からスパウト１の内側開口端１３までの間のスパウト１の外周面と、シート材４，４同士の融着部の６のスパウト側端部１４，１４との間に間隙１５，１５を有するように、シート材４，４同士及びシート材４，４とスパウト１とを熱融着する。【選択図】図１
2008127059.tif 000002
【特許請求の範囲】
【請求項１】
少なくとも一部がシート材同士をシール板で熱融着してなる容器本体と、該容器本体の前記シート材間に挟み込まれてシール板で一旦弾性的に押し潰されて該シート材間に熱融着された筒状のスパウトとを備えたスパウト付容器において、
容器本体内に位置するスパウトの内側開口端が容器本体のシート材同士の融着部の内側端部と一致するか或いはこれよりも外側に位置し、スパウトとシート材との融着部の内側端部がスパウトの内側開口端よりも外側に位置し、さらに、スパウトの内側開口端からスパウトとシート材との融着部の内側端部までのスパウトの外周面とシート材同士の融着部との間に間隙を有することを特徴とするスパウト付容器。
【請求項２】
少なくとも一部がシート材同士をシール板で熱融着してなる容器本体と、該容器本体の前記シート材間に熱融着された筒状のスパウトとを備えたスパウト付容器の製造方法において、
前記シート材間に前記スパウトを挟み込んでシール板で一旦該スパウトを弾性的に押し潰してシート材間に熱融着する工程と、該工程と同時或いは前後して、シート材同士をシール板で挟んで熱融着する工程とを有し、これらの熱融着工程において、
容器本体内に位置するスパウトの内側開口端が、シート材同士の融着部の内側端部と一致するか或いはこれよりも外側に位置するようにスパウトをシート材間に挟み込み、スパウトとシート材との融着部の内側端部が該スパウトの内側開口端よりも外側に位置し、スパウトの内側開口端からスパウトとシート材との融着部の内側端部までのスパウトの外周面とシート材同士の融着部との間に間隙を有するようにシート材同士及びスパウトとシート材とを熱融着することを特徴とするスパウト付容器の製造方法。
【請求項３】
上記スパウトの横断方向断面において、上記シールバーによる押し潰し方向を上下方向とした時の左右部分の肉厚が他の部分の肉厚より大きくなっている請求項２に記載のスパウト付容器の製造方法。
【発明の詳細な説明】
【技術分野】
【０００１】
本発明は、シート材間に筒状のスパウトを挟み込んで熱融着させてなるスパウト付容器とその製造方法に関する。
【背景技術】
【０００２】
近年、液体飲料、流動性食品、輸液バッグ（例えば点滴バッグ）、詰め替え用の液体洗剤、各種粉体等を収容する容器本体に対して、飲み口、注ぎ口又は取り出し口となるスパウトを装着したスパウト付容器が普及している。
【０００３】
このようなスパウト付容器には、剛性を有する、楕円形等の異形断面のリジッドスパウトを用いたものがある（特許文献１参照）。しかし、このリジッドスパウトは、剛性を有するため、その断面形状に合わせた特殊な熱融着手段で熱融着する必要があるばかりか、シート材の材質によっては、シート材が傷付けられて容器が破損したり、シート材との接着性が弱かったり、容器が嵩張ったりするおそれがあった。また、容器内部への取付部分が大きいため、特に粉体を収容すると、容器内部へ粉体が残留してしまい内容物の取出効率が悪い場合があった。さらに、容器の設計の自由度が制限されてしまう場合もあった。
【０００４】
そこで、リジッドスパウトに代えて柔軟性を有する素材からなるソフトスパウトを利用したスパウト付容器が考案されている。しかし、ソフトスパウトを用いて容器を製造する場合には、シート材とソフトスパウトを熱融着する際にソフトスパウトが潰れて内面が融着してしまい、スパウト取付縁部としての役目を果たさなくなるおそれがある。
【０００５】
このような不都合に対処するため、シート材と熱融着する際に内面が融着されるおそれが少ないソフトスパウトが開示されている（特許文献２参照）。この特許文献２に記載された技術は、ソフトスパウトの基端部内面に微細凹凸加工部を設けることにより、シート材とソフトスパウトを熱融着する際に、ソフトスパウトが押し潰されたとしても、内面が融着される可能性を減少させている。この微細凹凸加工部は、予め（成形）金型に凹凸加工をしておくかサンドブラストによる梨地加工や金属ブラシ等で内面を擦り、粗面化する加工やエンボスロールを用いたエンボス加工等により形成される。
【０００６】
【特許文献１】特開平８−２４３１５号公報
【特許文献２】特開平１０−２７３１５４号公報
【発明の開示】
【発明が解決しようとする課題】
【０００７】
しかしながら、上記特許文献２に記載された従来の技術では、サンドブラストによる梨地加工や金属ブラシ等で内面を擦り、粗面化する加工やエンボスロールを用いたエンボス加工等により、ソフトスパウトの基端部内面に微細凹凸加工部を形成しなければならない。このため、ソフトスパウトの製造工程において、射出成形等の工程に加えて、微細凹凸加工部を形成するための工程を必要とする。また、金属ブラシ等で内面を粗面化した場合は削りくずの洗浄をしなければならず、製造に手間がかかるとともにコストが上昇してしまうという問題があった。
【０００８】
また、従来のスパウト付容器においては、図４に示すように、スパウト１の容器本体内に位置する内側開口端１３が熱融着部６の内側端部１１よりも内側に突出しているため、該内側開口端１３の周囲に残った内容物が取り出せないという問題があった。
【０００９】
本発明は、上述した事情に鑑み提案されたもので、製造が容易でコストを低減することができるとともに、シート材と熱融着する際にシール板で挟み込んで押し潰しても内面が融着されてしまうことがなく、また、内容物を残らず取り出すことが可能なスパウト付容器とその製造方法を提供することを目的とする。
【課題を解決するための手段】
【００１０】
本発明の第１は、少なくとも一部がシート材同士をシール板で熱融着してなる容器本体と、該容器本体の前記シート材間に挟み込まれてシール板で一旦弾性的に押し潰されて該シート材間に熱融着された筒状のスパウトとを備えたスパウト付容器において、
容器本体内に位置するスパウトの内側開口端が容器本体のシート材同士の融着部の内側端部と一致するか或いはこれよりも外側に位置し、スパウトとシート材との融着部の内側端部がスパウトの内側開口端よりも外側に位置し、さらに、スパウトの内側開口端からスパウトとシート材との融着部の内側端部までのスパウトの外周面とシート材同士の融着部との間に間隙を有することを特徴とする。
【００１１】
また、本発明の第２は、少なくとも一部がシート材同士をシール板で熱融着してなる容器本体と、該容器本体の前記シート材間に熱融着された筒状のスパウトとを備えたスパウト付容器の製造方法において、
前記シート材間に前記スパウトを挟み込んでシール板で一旦該スパウトを弾性的に押し潰してシート材間に熱融着する工程と、該工程と同時或いは前後して、シート材同士をシール板で挟んで熱融着する工程とを有し、これらの熱融着工程において、
容器本体内に位置するスパウトの内側開口端が、シート材同士の融着部の内側端部と一致するか或いはこれよりも外側に位置するようにスパウトをシート材間に挟み込み、スパウトとシート材との融着部の内側端部が該スパウトの内側開口端よりも外側に位置し、スパウトの内側開口端からスパウトとシート材との融着部の内側端部までのスパウトの外周面とシート材同士の融着部との間に間隙を有するようにシート材同士及びスパウトとシート材とを熱融着することを特徴とする。
【００１２】
尚、本発明におけるスパウトの横断方向とは、スパウトの中心軸に直交する方向をいう。
【発明の効果】
【００１３】
本発明のスパウト付容器は、スパウトの内側開口端がシート材同士の熱融着部の内側端部と一致するか或いはこれよりも外側に位置しているため、スパウトの内側開口端の外周に内容物が溜まるデッドスペースが極小となり、内容物を残らず取り出すことができる。
【００１４】
また、本発明のスパウト付容器は、スパウトとシート材とが該スパウトの内側開口端よりも外側で熱融着されるため、シール材同士の熱融着によってスパウトの内側開口端が塞がれることが防止される。また、スパウトとシート材との融着部の幅が、シート材同士の融着部の幅よりも狭いため、スパウトの弾性復帰が良好に働き、スパウトの上下内面同士の熱融着による不良品発生が抑えられる。さらに、スパウトの内側開口端がシート材同士の融着部との間に間隙を有することから、スパウトとシート材との熱融着及びシート材同士の熱融着の際に溶出したスパウト及び／またはシート材の材料は該間隙内に収納されるため、溶出した該材料がスパウトの内側開口端及びスパウト内に付着して障害物となる恐れもない。よって、本発明によれば、飲み口、注ぎ口又は取り出し口となるスパウトの機能が損なわれることがない。
【００１５】
特に、スパウトとしてシール板による押し潰し方向を上下方向とした時、左右方向の肉厚が他の肉厚よりも厚いスパウトを用いた場合には、この肉厚が厚い部分が圧着力に抗してスパウトの両端部を支持する。これにより、スパウトが押し潰された時に、スパウトの上下内面同士が強く圧接されることが抑制される。
【００１６】
本発明の製造方法は、シール板の形状をスパウトとシート材の熱融着部の内側端部がシート材同士の熱融着部の内側端部よりも外側になり、且つ、シート材同士の融着部のスパウト側端部がスパウトの内側開口端とその近傍から離れて位置するように設計すれば容易に実施が可能であり、製造が行いやすく、不良品の発生率を抑えることができる。
【発明を実施するための最良の形態】
【００１７】
以下、図面を参照して、本発明に係るスパウト付容器及びその製造方法の実施形態を説明する。
【００１８】
＜スパウト付容器＞
図１は、本発明に係るスパウト付容器の一実施形態の正面図である。
【００１９】
スパウト付容器５は、スパウト１と容器本体２を備えたものとなっている。
【００２０】
本発明において、容器本体２はスパウト１を取り付ける側がシート材４，４をシール板で熱融着してなるものであればよく、例えば、樹脂成形体などの容器の開口側にシート材４，４を取り付けた形態なども好ましく適用される。製造の容易性からは、図１に示すように、シート材４，４のみで構成された袋状容器が好ましく用いられる。
【００２１】
図示される容器本体２は、２枚の重ね合わせたシート材４，４の周縁部を熱融着して袋状としている。容器本体２は、表裏２枚のシート材４，４の周縁部を熱融着したものの他、１枚のシート材４を折り畳んで、開放された縁部を熱融着して袋状としたものでもよい。さらには、表裏２枚及び左右側面２枚の合計４枚のシート材４，４…の縁部同士を熱融着して袋状にしたものや、表裏２枚、左右側面２枚及び底面１枚の合計５枚のシート材４，４…の縁部同士を熱融着して袋状にしたものでもよい。
【００２２】
シート材４は、柔軟性を有する素材からなり、例えば、ポリアミド、ポリエステル、ポリプロピレン等の合成樹脂フィルムからなる外層フィルムと、ポリエチレン、ポリプロピレン等の熱融着性樹脂層とが積層されて形成されている。
【００２３】
スパウト１は、袋状の容器本体２のスパウト取付縁部３に装着された筒状の部材で、材料としては、柔軟性を有する素材が用いられ、例えばポリエチレン、ポリプロピレンまたはポリエステルを用いることができる。尚、スパウト１は単層構造であってもよいし、前記した材料を最外層とした多層構造であってもよい。特に内層を構成する合成樹脂を外層を構成する合成樹脂より融点の高い合成樹脂とすることで、スパウト１の内面同士を一層融着しにくくすることができる。また、内層を構成する合成樹脂に例えば酸化チタン等の粉粒状無機顔料を添加しておくことでも同様の効果を得ることができる。
【００２４】
また、スパウト１の材料として用いるポリエチレン、ポリプロピレンのＭＦＲ（メルトフローレイト）は、ブロー成形法で製造する上では０．１乃至７．０程度（例えば１．５或いは２．０）であることが好ましい。尚、これらを単一素材として用いてもよい。
【００２５】
また、スパウト１の材料としては、容器本体２の最内層に用いる素材と同種の素材、或いは容器本体２の最内層に用いる素材と融着可能な素材が用いられる。
【００２６】
スパウト１の製造方法としては、ブロー成形法の他に、インジェクション成形法、押出成形法等も採用することができる。成形の容易さ等の点ではブロー成形法を用いることが好ましい。
【００２７】
本発明において、スパウト１は、スパウト取付縁部３におけるシート材４，４同士の熱融着側に位置する部分の肉厚が、他の部分の肉厚より大きくなる向きで熱融着されていることが好ましい。つまり、後述するシール板９，９（図３（ａ）参照）による押し潰し方向を上下方向とした時の左右部分の肉厚が上下部分を含む他の領域の肉厚に比して厚くなる向きで、スパウト取付縁部３のシート材４，４間に挟み込んで熱融着されていることが好ましい。
【００２８】
また、図１のスパウト１は、容器本体２と熱融着される部分が内径及び外径が一定の筒状であるが、容器本体２からの抜け落ちを防止するため、容器本体２の外部へ突出する先端側から容器本体２の内部へ挿入する基端側へ向かって拡径した形状であることも好ましい形態として含む。また、スパウト１の先端部は、蓋体７を嵌め込んで取り付けるための蓋体取付部８が形成されている。蓋体７はネジで取り付けることもでき、ネジ式とする場合、蓋体７の内周と蓋体取付部８の外周に互いに螺合するネジ部を形成すればよい。
【００２９】
本発明において、容器本体２内に位置するスパウト１の内側開口端１３は、シート材４，４同士の融着部６の内側端部１１と一致するか、或いは若干外側に位置している。図２（ａ）は前者の、図２（ｂ）は後者の形態を示す拡大図である。本発明においては図２（ａ），（ｂ）に示すように、いずれの形態においても、スパウト１とシート材４，４との融着部６の内側端部１２は、スパウト１の内側開口端１３よりもさらに外側に位置しており、さらに、スパウト１の内側開口端１３からスパウト１とシート材４，４との融着部６の内側端部１２までのスパウト２の外周面とシート材４，４同士の融着部６との間に間隙１５，１５を有する。言い換えれば、スパウト１の内側開口端１３からスパウト１とシート材４，４との融着部６の内側端部１３までの間において、シート材４，４同士の融着部６の最もスパウト１に近接するスパウト側端部１４，１４と、スパウト１との間に間隙１５，１５を有する。
【００３０】
図２に示すように、本発明のスパウト付容器５においては、スパウト１の内側開口端１３が該スパウト１の周辺のシート材４，４同士の融着部６の内側端部１１よりも内側に突出していない。よって、内容物が該融着部６の内側端部１１に沿ってスパウト１の内側開口端１３に近づいた際に障害物がなく、スムーズにスパウト１内に移動することができ、内容物を残さず取り出すことができる。
【００３１】
スパウト付容器５の容器本体２には、例えば液体飲料、流動性食品、点滴液、詰め替え用の液体洗剤、各種粉体等を収容することができる。また、スパウト１は、飲み口、注ぎ口又は取り出し口として用いられる。
【００３２】
＜スパウト付容器の製造方法＞
図３（ａ）は本発明に係るスパウト付容器の製造方法の一実施形態における、シート材とスパウトとを熱融着する途中段階の説明図、図３（ｂ）はシート材とスパウトの熱融着状態の一例を示すスパウト付近の横断方向断面図、図３（ｃ）は本発明において好ましく用いられるスパウトの一例の横断方向断面図である。尚、図３（ａ），（ｂ）はいずれもシート材とスパウトとの融着部の断面である。
【００３３】
図１に基づき、スパウト付容器の一実施形態で説明したように、スパウト付容器５を製造するには、１枚のシート材４を折り畳むか、所要枚数のシート材４，４…を重ね合わせ又は縁部同士を熱融着すると共に、スパウト取付縁部３となる部分のシート材４，４の間にスパウト１を挟み込んだ状態で、図３（ａ）に示されるようにシール板９，９で挟み、スパウト取付縁部３のシート材４，４同士の融着部６の形成と同時にシート材４，４とスパウト１を熱融着すればよい。このように、シート材４，４とスパウト１とを重ね合わせて熱融着を行うことにより、シート材４，４の周縁部が熱融着して融着部６となり、シート材４とスパウト１とが一体となった袋状のスパウト付容器５を製造することができる。
【００３４】
本発明においてシール材４，４同士及びシール材４，４とスパウト１との熱融着手段としては、融着部６に内容物が漏れ出す隙間が形成されない手段であれば用いることが可能で、例えば熱板シール、インパルスシール、超音波シールなどを用いることができる。
【００３５】
シール板９，９による挟み込みを解除すると、スパウト１は弾性復帰し、筒状の形態に戻るので、飲み口、注ぎ口又は取り出し口として用いることができる。また、スパウト１とシート材４，４の熱融着時に、スパウト１の上下内面同士が多少熱融着しても、スパウト１の弾性復帰力によって剥離することができる。特に、本発明においてはスパウト１とシート材４，４との融着部６の幅が、シート材４，４同士の融着部６の幅よりも狭いため、スパウト１の弾性復帰が良好に働き、スパウト１の上下内面同士の熱融着による不良品発生が抑えられる。
【００３６】
ところで、上記のようにして熱融着を行うと、スパウト１が押し潰された時に、左右の合成樹脂の一部が、軟化又は溶融してシート材４，４間へ押し出され、図３（ｂ）に示されるように、スパウト１の左右外方に突起３１，３１が形成された状態で熱融着される。この突起３１，３１は、スパウト１に隣接するシート材４，４同士の熱融着面と、スパウト１とシート材４，４間の熱融着面とをなだらかにつなぎ、融着不良の発生を抑制する作用効果をもたらす。
【００３７】
本発明においては、図１，図２に示すように、スパウト１をシート材４，４間に挟み込む際に、スパウト１の内側開口端１３が、熱融着後のシート材４，４同士の融着部６の内側端部１１と一致する〔図２（ａ）〕か、或いは、該内側端部１１よりも外側に位置する〔図２（ｂ）〕ようにスパウト１の位置を調整する。
【００３８】
次いで、シート材４，４とスパウト１との融着部６の内側端部１２が、スパウト１の内側開口端１３よりも外側に位置し、該内側端部１２とスパウト１の内側開口端１３との間であって、シート材４，４同士の融着部６のスパウト側端部１４，１４とスパウト１の外周面との間に間隙１５，１５を有するように熱融着を行う。即ち、融着部６は、スパウト１とシート材４，４との融着部６が、シート材４，４同士の融着部６に対して外側に向かって凹んだ形状となるため、該形状に対応した平面形状を有するシール板９，９を用いて熱融着を実施すればよい。
【００３９】
尚、本発明においてシート材４，４同士の熱融着と、シート材４，４とスパウト１との熱融着は同時であっても、前後していても良い。
【００４０】
本発明においては、スパウト１とシート材４，４との融着部６の内側端部１２が、スパウト１の内側開口端１３よりも外側に位置し、且つ、該内側開口端１３においてはスパウト１の外周面とシート材４，４同士の融着部６とが所定の間隙１５，１５を介して離れるように熱融着を行うため、熱融着時にシート材４，４同士の熱融着によってスパウト１の内側開口端１３が塞がれる恐れがない。また、スパウト１の内側開口端１３と熱融着部６の内側端部１２とが離れている上、該内側開口端１３とシート材４，４同士の融着部６も互いに離れていることから、スパウト１及び／またはシート材４，４から溶出した材料がシート材４，４同士の融着部６のスパウト側端部１４，１４とスパウト１の外周面との間隙１５，１５に収納され、溶出した材料がスパウト１の内側開口端１３近傍に付着して内容物の取り出しに際して障害となる部分が形成される恐れがない。
【００４１】
スパウト付容器において、シート材４，４同士の融着部の幅ｔ1は通常、１０〜１５ｍｍの範囲にあり、スパウト１とシート材４，４との融着部６の幅ｔ2は好ましくは５〜１０ｍｍであり、スパウト１の内側開口端１３と融着部６の内側端部１２との距離ｔ4は１〜５ｍｍであることが好ましい。また、スパウト１の内側開口端１３とシート材４，４同士の融着部６の内側端部１１との距離ｔ3は、０ｍｍ以上で上記ｔ1，ｔ2，ｔ4がそれぞれ上記好ましい範囲内にある条件内で適宜選択される。また、スパウト１の外周面とシート材４，４同士の融着部６のスパウト側端部１４，１４との間隙１５，１５の幅ｔ7は、０．５〜３ｍｍが好ましい。
【００４２】
また、本発明においては、前記したように、スパウト１として、スパウト取付縁部３におけるシート材４，４同士の熱融着側に位置する部分の肉厚が、他の部分の肉厚より大きくなる向きで熱融着されていることが好ましい。つまり、シール板９，９〔図３（ａ）〕による押し潰し方向を上下方向とした時の左右部分の肉厚が上下部分を含む他の領域の肉厚に比して厚くなる向きで、スパウト取付縁部３のシート材４，４間に挟み込んで熱融着されていることが好ましい。
【００４３】
このようなスパウト１を用いた場合、スパウト１の肉厚が厚い部分が左右方向、即ち押し潰されたスパウト１の両端側に位置するため、この肉厚が厚い部分が圧着力に抗してスパウト１の両端部を支持する。これにより、スパウト１が押し潰された時に、スパウト１の上下内面同士が強く圧接されにくく、スパウト１の上下内面同士までが強固に熱融着されてしまうことが防止される。
【００４４】
また、図３（ｂ）の突起３１，３１を良好に形成して融着不良の発生を抑制する上でも、該肉厚部分があることが好ましい。
【００４５】
図３（ｃ）は外周面の形状を楕円形、内周面の形状を円形とすることにより、肉厚が厚い部分ｔ5と薄い部分ｔ6とを形成した例である。係るスパウト１は、以下の条件式（１）及び（２）を満足していることが好ましい。
【００４６】
ｔ5＝ｔ6×ｆ・・・（１）
１．０＜ｆ≦３．５・・・（２）
【００４７】
但し、
ｔ5：最大肉厚
ｔ6：最小肉厚
【００４８】
上述したように、本例に係るスパウト１は、周方向に沿って肉厚に相違を生じさせている。この際、上記条件式（１）及び（２）を満足することにより、シート材４，４とスパウト１とを熱融着する際に、スパウト１の内面を融着せずに良好にスパウト１を容器本体２に取り付けることができる。
【００４９】
具体的なスパウト１の大きさ及び肉厚は、例えば外周面の長軸直径が１６．７０ｍｍ、外周面の短軸直径が１６．００ｍｍ、内周面の直径が１５．３０ｍｍとなっている。従って、最大肉厚ｔ5は０．７０ｍｍであり、最小肉厚ｔ6は０．３５ｍｍであり、ｆは２．０であり、上記条件式（１）及び（２）を満足している。
【００５０】
さらに、好ましくは、１．５≦ｆ≦２．５である。係る条件を満足することにより、シート材４，４とスパウト１とを熱融着する際に、スパウト１の両端部をより一層確実に支持することができる。
【００５１】
本発明において、上記したように、スパウト１の横断方向断面において肉厚を部分的に厚くした他の構成例としては、外周面の形状が楕円形で、内周面の形状が円形とした構成や、外周面より外側に向かって突出する左右の突出部を設けた構成、外周面及び内周面共に円形であるが、内周面の相互に対向する一部を内側へ向かって膨出させた構成などが挙げられる。これらの構成においても、前記した条件式（１）及び（２）を満足していることが好ましい。
【図面の簡単な説明】
【００５２】
【図１】本発明に係るスパウト付容器の一実施形態の正面図である。
【図２】本発明に係るスパウト付容器のスパウト近傍の拡大図である。
【図３】本発明に係るスパウト付容器の製造方法の一実施形態における、シート材とスパウトとを熱融着する途中段階の説明図、熱融着後のスパウトの横断方向断面図、本発明において好ましく用いられるスパウトの横断方向断面図である。
【図４】従来のスパウト付容器の一例の正面図である。
【符号の説明】
【００５３】
１  スパウト
２  容器本体
３  スパウト取付縁部
４  シート材
５  スパウト付容器
６  融着部
７  蓋体
８  蓋体取付部
９  シール板
１１  シート材同士の融着部の内側端部
１２  スパウトとシート材との融着部の内側端部
１３  スパウトの内側開口端
１４  シート材同士の融着部のスパウト側端部
１５  シート材同士の融着部の端部とスパウト外周面との間隙
３１  突起部
４１  スパウト付容器
【図１】
2008127059.tif 000003
【図２】
2008127059.tif 000004
【図３】
2008127059.tif 000005
【図４】
2008127059.tif 000006